(57)【特許請求の範囲】
【請求項１】
ゴルフシューズ用の一対のソールであって、
各々がヒール部分、ヒール部分の前方に位置した爪先部分、ヒール部分と爪先部分との間に延びる第１の縁部、及び第１の縁部の反対側でヒール部分と爪先部分との間に延びる第２の縁部を備えた第１及び第２のソールと、
各々がその軸線に沿って細長い複数の牽引摩擦部材とを有し、
複数の牽引摩擦部材は、第１のソールに連結された状態でこれから垂下していて、軸線が第１のソールの第１及び第２の縁部のうち少なくとも一方に対して全体として横断方向に向いた少なくとも１つの第１の牽引摩擦部材と、
第１のソールに連結された状態でこれから垂下していて、軸線が第１のソールの縁部のうち少なくとも一方と全体として平行に整列した少なくとも２つの第２の牽引摩擦部材とを有し、第２の牽引摩擦部材の数は、地面に対する第１のソールの回転動作に抵抗するよう第１の牽引摩擦部材の数よりも多く、
前記複数の牽引摩擦部材は更に、第２のソールに連結された状態でこれから垂下していて、軸線が第２のソールの縁部のうち少なくとも一方と全体として平行に整列した少なくとも１つの第３の牽引摩擦部材と、
第２のソールに連結された状態でこれから垂下していて、軸線が第２のソールの第１及び第２の縁部のうち少なくとも一方に対して全体として横断方向に向いた少なくとも２つの第４の牽引摩擦部材とを有し、第４の牽引摩擦部材の数は、地面に対する第２のソールの回転動作を許容するよう第３の牽引摩擦部材の数よりも多い、
ソール。
【請求項２】
第１のソールの寸法形状は、右シューズに取り付けられるように定められ、第２のソールの寸法形状は、左シューズに取り付けられるように定められている、請求項１記載のソール。
【請求項３】
第１のソールの寸法形状は、左シューズに取り付けられるように定められ、第２のソールの寸法形状は、右シューズに取り付けられるように定められている、請求項１記載のソール。
【請求項４】
牽引摩擦部材のうち少なくとも１つは、互いに間隔を置いた複数の牽引摩擦要素から成り、各牽引摩擦要素は、牽引摩擦部材軸線に沿って細長い、請求項１記載のソール。
【請求項５】
牽引摩擦部材のうち少なくとも１つは、牽引摩擦部材軸線と全体として垂直な平面で切断したときの横断面形状がテーパしており、テーパ横断面形状は、牽引摩擦部材が取り付けられているソールから遠くに間隔を置いた幅の狭い部分を有する、請求項１記載のソール。
【請求項６】
テーパ横断面形状は、全体として三角形である、請求項５記載のソール。
【請求項７】
第１及び第２のソールのうち少なくとも一方に連結された状態でこれから垂下していて、第１及び第２のソールのうち少なくとも一方を支持する少なくとも１つのクリート部材を更に有する、請求項１記載のソール。
【請求項８】
クリート部材は、第１及び第２のソールのうち少なくとも一方と全体として垂直な平面で切断したときの横断面形状がテーパしており、テーパ横断面形状は、第１及び第２のソールのうち少なくとも一方から遠くに間隔を置いた幅の狭い部分を有する、請求項７記載のソール。
【請求項９】
クリート部材は、第１及び第２のソールのうち少なくとも一方と全体として平行な平面で切断したときの横断面形状が全体として円形である、請求項７記載のソール。
【請求項１０】
クリート部材は、第１及び第２のソールのうち少なくとも一方と全体として垂直な平面で切断したときの横断面形状が全体として丸い、請求項７記載のソール。
【請求項１１】
クリート部材は、溝付き表面を有する、請求項７記載のソール。
【請求項１２】
クリート部材は、牽引摩擦部材のうち１つと、該牽引摩擦部材が整列している第１及び第２のソールのうち一方の縁部との中間に位置している、請求項７記載のソール。
【請求項１３】
第１及び第２のソールのうち少なくとも一方を支持するように、第１及び第２のソールのうち少なくとも一方に連結され、これから垂下する複数のクリート部材を有し、該複数のクリート部材が、複数の牽引摩擦部材のうち１つと整合されている、請求項１記載のソール。
【請求項１４】
複数のクリート部材は、前記一牽引摩擦部材と、該牽引摩擦部材に近接した一方のソールの縁部との中間に位置している、請求項１３記載のソール。
【請求項１５】
第１及び第２のソールのうち少なくとも一方の第１及び第２の縁部のうち少なくとも一方は、少なくとも一部が湾曲している、請求項１記載のソール。
【請求項１６】
牽引摩擦部材のうち少なくとも１つは、第１の端部分及び第１の端部分の反対側の第２の端部分を有し、第１及び第２の端部分は各々、前記一牽引摩擦部材が連結されているソールに隣接した幅の広い領域から牽引摩擦部材が連結されているソールから遠くに間隔を置いた幅の狭い領域までテーパしたテーパ形状を有し、第１及び第２の端部分の幅の狭い領域は、互いに向かって傾斜している、請求項１記載のソール。
【請求項１７】
少なくとも１つの牽引摩擦部材は、牽引摩擦部材軸線上に位置した第１及び第２の端部分を有し、第１の端部分は、第２の端部分の反対側に位置し、牽引摩擦部材は、第１の端部分と第２の端部分との間で連続している、請求項１記載のソール。
【請求項１８】
少なくとも１つの牽引摩擦部材は、第１及び第２のソールのうち一方と一体成形されている、請求項１記載のソール。
【請求項１９】
ゴルフシューズ用の一対のソールであって、
第１のゴルフシューズに取付け可能であって、第１の縁部、第１の縁部の反対側の第２の縁部及び第１の縁部と第２の縁部の中間の第３の縁部を備えた第１のヒール部分と、
第２のゴルフシューズに取付け可能であって、第１の縁部、第１の縁部の反対側の第２の縁部及び第１の縁部と第２の縁部の中間の第３の縁部を備えた第２のヒール部分と、
第１のヒール部分に連結され、これから垂下する第１の牽引摩擦部材を有し、該第１の牽引摩擦部材が、前記第１のヒール部分の縁部の少なくとも１つとほぼ整合された第１の軸線に沿って細長くされ、該第１の牽引摩擦部材は、第１のヒール部分の縁部のうち少なくとも一方に近接して位置決めされ、
第１のヒール部分に連結され、これから垂下する複数の第１のクリート部材を有し、該第１のクリート部材は、第１のヒール部分の縁部のうちの少なくとも一方と整合され、これに近接した第２の軸線を構成し、第１のクリート部材は、第１のヒール部分の回転動作を許容するよう互いに間隔を隔てられ、
第２のヒール部分に連結され、これから垂下する複数の互いに間隔を隔てた第２のクリート部材と、
第２のヒール部分に連結され、これから垂下した第２の牽引摩擦部材とを有し、第２の牽引摩擦部材は、第２のヒール部分の縁部のうち少なくとも一方とほぼ整列された第３の軸線に沿って細長く、第２の牽引摩擦部材は、第２のヒール部分を安定化させるように、第２のヒール部分の縁部のうち少なくとも一方に近接し、前記一方の縁部と複数の第２のクリート部材との間の中間に位置決めされている、
ソール。
【請求項２０】
第１のヒール部分は、左シューズに取り付けられるように寸法形状決めされ、第２のヒール部分は、右シューズに取り付けられるように寸法形状決めされている、請求項１９記載のソール。
【請求項２１】
第１のヒール部分は、右シューズに取り付けられるように寸法形状決めされ、第２のヒール部分は、左シューズに取り付けられるように寸法形状決めされている、請求項１９記載のソール。
【請求項２２】
第１及び第２の牽引摩擦部材のうち少なくとも一方は、２つの互いに間隔を置いた細長い牽引摩擦要素から成る、請求項１９記載のソール。
【請求項２３】
一足のゴルフシューズであって、
第１のシューズを有し、該第１のシューズが第１のソールに取り付けられた第１の甲部分を有し、第１のソールは、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、
第２のソールに取り付けられた第２の甲部分を有する第２のシューズを有し、第２のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、
複数の牽引摩擦部材を有し、各牽引摩擦部材が牽引摩擦部材の軸線に沿って細長く、複数の牽引摩擦部材が、
第１のソールに連結され、これから垂下する少なくとも１つの第１の牽引摩擦部材を有し、その牽引摩擦部材軸線が、第１のソールの第１及び第２の縁部のうち少なくとも一方に対して全体として横方向であり、
第１のソールに連結され、これから垂下する少なくとも２つの第２の牽引摩擦部材とを有し、その牽引摩擦部材軸線が、第１のソールの縁部のうち少なくとも一方と全体として平行に整列され、第２の牽引摩擦部材の数は、地面に対する第１のソールの回転動作に抵抗するように、第１の牽引摩擦部材の数よりも多く、
第２のソールに連結され、これから垂下する少なくとも１つの第３の牽引摩擦部材を有し、その牽引摩擦部材軸線が第２のソールの縁部のうち少なくとも一方と全体として平行に整列され、
第２のソールに連結され、これから垂下する少なくとも２つの第４の牽引摩擦部材を有し、その牽引摩擦部材軸線が第２のソールの第１及び第２の縁部のうち少なくとも一方に対して全体として横方向であり、第４の牽引摩擦部材の数は、地面に対する第２のソールの回転動作を許容するように第３の牽引摩擦部材の数よりも多い、
ゴルフシューズ。
【請求項２４】
第１のシューズは右シューズであり、第２のシューズは左シューズである、請求項２３記載のゴルフシューズ。
【請求項２５】
第１のシューズは左シューズであり、第２のシューズは右シューズである、請求項２３記載のゴルフシューズ。
【請求項２６】
牽引摩擦部材のうち少なくとも１つは、牽引摩擦部材軸線と全体として垂直な平面で切断したときにテーパした横断面形状を有し、テーパ形状は、牽引摩擦部材が取り付けられているソールから遠くに間隔を置いた幅の狭い部分を有する、請求項２３記載のゴルフシューズ。
【請求項２７】
牽引摩擦部材のうち少なくとも１つは第１のソールに堅固に取り付けられ、牽引摩擦部材はソールから遠ざかって延び、牽引摩擦部材はソールに実質的に垂直な方向においてソールに連結され、牽引摩擦部材は前記垂直な方向から遠ざかるように曲げられる、請求項２４記載のゴルフシューズ。
【請求項２８】
一足のゴルフシューズであって、
第１のソールを備えた第１のシューズを有し、前記第１のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、前記第１のソールが更に、第１のソールに連結され、それから垂下した複数の第１の牽引摩擦要素を備え、各第１の牽引摩擦要素は、第１の牽引摩擦要素軸線に沿って細長く、該第１の牽引摩擦要素軸線と整列された表面積を有し、複数の第１の牽引摩擦要素は、第１のグループ及び第２のグループを備え、第１のグループの第１の牽引摩擦要素は、第１のソールの回転動作に抵抗するように第１のソールの第１及び第２の縁部のうち少なくとも一方と全体的に整列した牽引摩擦要素軸線を有し、第２のグループの第１の牽引摩擦要素は、第１のソールの回転動作を許容するように第１のソールの第１及び第２の縁部のうち少なくとも一方に対して全体として横方向に向いた牽引摩擦要素軸線を有し、第１のグループの第１の牽引摩擦要素の表面積の合計は、第１のソールの回転動作に抵抗するように第２のグループの第１の牽引摩擦要素の表面積の合計よりも大きく、
第２のソールを備えた第２のシューズを有し、第２のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、第２のソールが、第２のソールに連結され、これから垂下した複数の第２の牽引摩擦要素を備え、各第２の牽引摩擦要素は、第２の牽引摩擦要素軸線に沿って細長く、該第２の牽引摩擦要素軸線と整列した表面積を有し、複数の第２の牽引摩擦要素は、第１のグループ及び第２のグループを有し、第１のグループの第２の牽引摩擦要素は、第２のソールの回転動作に抵抗するように第２のソールの第１及び第２の縁部のうち少なくとも一方と全体的に整列した牽引摩擦要素軸線を有し、第２のグループの第２の牽引摩擦要素は、第２のソールの回転動作を許容するように第２のソールの第１及び第２の縁部のうち少なくとも一方に対して全体として横方向に向いた牽引摩擦要素軸線を有し、第２のグループの第２の牽引摩擦要素の表面積の合計は、第２のソールの回転動作を許容するように第１のグループの第２の牽引摩擦要素の表面積の合計よりも大きい、
ゴルフシューズ。
【発明の詳細な説明】
【０００１】
【発明の属する技術分野】
本発明は、改良を加えた一足のゴルフシューズ及びゴルフシューズ用ソールに関する。
【０００２】
【従来の技術及び発明が解決しようとする課題】
ゴルファーは、ゴルフコースの芝生の上でプレーする際、特別に作られたゴルフシューズを履くのが普通である。ゴルフシューズは、ゴルファーの足に快適にフィットし、そして又、ゴルファーがコースの潜在的に滑りやすい面上でバランスを失わないようにするための良好なトラクション、すなわち、牽引摩擦力をもたらすよう設計されている。したがって、たとえ芝生が濡れていても芝生としっかりとした牽引摩擦関係をなすようにするために互いに間隔を置いた状態でゴルフシューズのソールから下に突き出たクリートを設けるのが良い。これらクリートは代表的には、金属又は硬質プラスチックで作られていて、ゴルフシューズ用ソール周りの種々の位置に配置されている。
【０００３】
従来型ゴルフシューズに関する一問題は、クリートがゴルファーの足の回転動作に抵抗する傾向をもっているということである。その結果、特にバックスイングの際のゴルファーの足の動きが妨げられ、或いは変えられてしまう場合がある。ゴルファーのスイングのパワー及び正確さは低下し、それに応じてゴルファーのゲーム内容が悪くなる。従来型ゴルフシューズに関するもう一つの問題は、かかるシューズでは、同じ一足のシューズを濡れた芝生とそれよりも堅い表面、例えば頑丈な床の両方の上で使用できるようにする牽引摩擦力と安定性の適正なバランスが得られないということである。
【０００４】
【課題を解決するための手段】
概要を述べると、本発明は、ゴルフコース内外の両方での性能と使用適性を向上させた一足のゴルフシューズ及びゴルフシューズ用ソールを提供する。好ましい実施形態では、一方のソールと他方のソールとでは配列が異なるトラクション部材、すなわち、牽引摩擦部材を備えた一足のゴルフシューズが提供される。したがって、ソールのうち一方は、これが取り付けられているゴルフシューズの回転動作に抵抗しがちであり、これに対して、他方のソールは回転動作を許容しがちである。
一実施形態では、一対のソールは、各々がヒール部分、ヒール部分の前方に位置した爪先部分、ヒール部分と爪先部分との間に延びる第１の縁部、及び第１の縁部の反対側でヒール部分と爪先部分との間に延びる第２の縁部を備えた第１及び第２のソールを有する。一対のソールは更に、各々がその軸線に沿って細長い複数の牽引摩擦部材を有する。複数の牽引摩擦部材は、第１のソールに連結された状態でこれから垂下した少なくとも１つの第１の牽引摩擦部材を含む。牽引摩擦部材の牽引摩擦部材軸線は、第１のソールの第１及び第２の縁部のうち少なくとも一方に対して全体として横断方向に向いている。第１のソールは更に、第１のソールに連結された状態でこれから垂下した少なくとも２つの第２の牽引摩擦部材を有する。第２の牽引摩擦部材の牽引摩擦部材軸線は、第１のソールの縁部のうち少なくとも一方と全体として平行に整列し、第２の牽引摩擦部材の数は、地面に対する第１のソールの回転動作に抵抗するよう第１の牽引摩擦部材の数よりも多い。複数の牽引摩擦部材は更に、第２のソールに連結された状態でこれから垂下した少なくとも１つの第３の牽引摩擦部材を有する。第３の牽引摩擦部材の牽引摩擦部材軸線は、第２のソールの縁部のうち少なくとも一方と全体として平行に整列している。第第２のソールは、第２のソールに連結された状態でこれから垂下した少なくとも２つの第４の牽引摩擦部材を有する。第４の牽引摩擦部材の牽引摩擦部材軸線は、第２のソールの第１及び第２の縁部のうち少なくとも一方に対して全体として横断方向に向き、第４の牽引摩擦部材の数は、地面に対する第２のソールの回転動作を許容するよう第３の牽引摩擦部材の数よりも多い。
【０００５】
この実施形態のさらにもう一つの特徴によれば、牽引摩擦部材は、互いに間隔を置いた複数の牽引摩擦要素から成り、各牽引摩擦要素は、牽引摩擦部材軸線に沿って細長い。一実施形態では、牽引摩擦部材は、牽引摩擦部材軸線と全体として垂直な平面で切断したときの横断面形状がテーパしている。テーパ横断面形状は、牽引摩擦部材が連結されているソールから遠くに間隔を置いた幅の狭い部分を有する。
本発明の別の実施形態では、ソールのヒール部分は、２つの互いに間隔を置いた複数の牽引摩擦要素から成り、各牽引摩擦要素は、ヒール部分の縁部のうち一方と全体的に整列した軸線に沿って細長い。ヒール部分は更に、牽引摩擦部材相互の中間にクリート部材を有する。この実施形態のもう一つの特徴によれば、クリート部材は、第１及び第２のソールのうち少なくとも一方と全体として垂直な平面で切断したときの横断面形状が全体として丸い。
【０００６】
本発明は更に、ゴルファーの足の動きを制御する方法に関する。一例として、この方法は、少なくとも一つの第１の細長い牽引摩擦部材をゴルファーの第１の足に連関させる段階を更に含む。第１の細長い牽引摩擦部材は、第１の足の縁部に対し全体として横断方向において細長い。上記方法は更に、多数の第２の細長い牽引摩擦部材をゴルファーの第１の足に連関させる段階を含み、第２の細長い牽引摩擦部材は、第１の足の縁部と全体として平行な方向において細長く、第２の細長い牽引摩擦部材の数は、第１の細長い牽引摩擦部材の数よりも多い。上記方法は更に、少なくとも一つの第３の細長い牽引摩擦部材をゴルファーの第２の足に連関させる段階を含み、第３の細長い牽引摩擦部材は、第２の足の縁部に対し全体として平行な方向において細長く、更に多数の第４の細長い牽引摩擦部材をゴルファーの第２の足に連関させる段階を含み、第４の細長い牽引摩擦部材は、第２の足の縁部に対し全体として横断方向において細長く、第４の細長い牽引摩擦部材の数は、第３の細長い牽引摩擦部材の数よりも多い。上記方法は更に、ゴルファーがゴルフクラブをスイングするとき、第１の足の回転動作に抵抗すると共に第２の足の回転動作を許容するよう細長い牽引摩擦部材を地面に係合させる段階を含む。
【０００７】
【発明の実施の形態】
上述したように、本発明は、改良を加えたゴルフシューズ及びゴルフシューズ用ソールに関する。好ましい実施形態では、一足のゴルフシューズ及び特に一足のゴルフシューズ用ソールを用いると、ゴルファーは片足をほぼ静止した位置に保った状態でもう片方の足を回転させやすくなる。図１の部分図（Ａ）及び（Ｂ）に示すように、本発明の実施形態による一足のゴルフシューズは、右のシューズ１２と左のシューズ１４とから成る。各シューズは一般に、ソール１８に取り付けられたアッパー又は甲１６を有している。ソール１８は、右シューズ１２の甲１６に取り付けられた右のソール１８ａと、左シューズ１４の甲１６に取り付けられた左のソール１８ｂとから成る。右ソール１８ａ及び左ソール１８ｂはそれぞれ、トラクション部材、すなわち、牽引摩擦部材２２及びクリート部材２４を有し、これらの部材は、シューズの回転性及び安定性を高めるようソールから下方に突出している。これについては、以下に詳細に説明する。
【０００８】
図２（Ａ）及び（Ｂ）は、それぞれ右ソール１８ａ及び左ソール１８ｂの平面図である。ソール１８は各々、底部分２６を含み、この底部分は、ゴルファー（図示せず）に快適であるほどの可撓性があり且つゴルファーの足を支持できるほどの剛性があるプラスチック、ゴム又は他の適当な材料、或いはこれら材料の組合せから成るのが良い。リップ１８が、底部分２６からその外周部に沿ってぐるりと上方に延びている。リップ２８は、甲をソール１８に取り付けると、甲１６の周りにフィットする（図１）よう寸法決めされている。底部分２６はさらに、底部分２６の内部領域から上方に突出した支持隆起条３０を有している。支持隆起条３０は甲１６を支持し、そしてこの支持隆起条は甲の爪先部分に対して甲のヒール部分を高くするような寸法に設定されるのが良い。支持隆起条３０は、凹み３２によって分離され、これら凹みは、ソール１８の全重量を減少させるために設けられている。リップ２８の内側に位置する底部分２６の周囲には、アッパー１６をソール１８に取り付けるための取付け孔３４が設けられている。
【０００９】
ソール１８は各々、図３（Ａ）及び（Ｂ）の等角図及び図４（Ａ）及び（Ｂ）の平面図に示すように底面３６を有している。底面３６は、ヒール部分４０の前方に位置した爪先部分３８を有している。外側の縁部４２が、爪先部分３８とヒール部分４０との間でソール１８の外側に沿って延びている。内側の縁部４４が、爪先部分３８とヒール部分４０との間で、外側縁部４２と反対側のソール１８の内側に沿って延びている。後側の縁部４１が、ヒール部分４０のところで外側縁部４２と内側縁部４４との間に延びており、前側の縁部３９が、爪先部分３８の外側縁部と内側縁部との間に延びている。
底面３６は、牽引摩擦部材２２及びクリート部材２４を更に有している。牽引摩擦部材２２及びクリート部材２４は好ましくは、底面３６にしっかりと取り付けられた状態で全体として底面から直角方向に遠ざかって延び、それにより地面に係合して以下に詳細に説明するようにソール１８に安定性及び／又は回転性を与えるようになっている。牽引摩擦部材２２及びクリート部材２４は、ソールを支持できるほど剛性があり、しかも快適であって且つゴルファーが自分の足を持ち上げる際に地面から離れるほど横方向に可撓性があると共に直角方向に圧縮可能な可撓性の弾性材料、例えばゴム、プラスチック又は他の類似の材料から形成されている。好ましい実施形態では、牽引摩擦部材２２及びクリート部材２４は、３ＫSoft、即ち、摩耗レベルが３０００ＮＢＳのゴムコンパウンドから成るのがよい。３ＫSoftは、マサチューセッツ州ネドハム所在のジョーンズ・アンド・バイニング社から入手できる。ソール１８の残部は、摩耗レベルが９０〜１１０ＮＢＳのゴムコンパウンドから成るのがよい。これら２つのゴムコンパウンドを一つの型内に入れて一緒に一体成形すると、全体として剛性のあるソール１８が得られ、このソール１８は、所望レベルの可撓性を有する牽引摩擦部材２２及びクリート部材２４を有する。
【００１０】
牽引摩擦部材２２は、図３（Ａ）及び（Ｂ）並びに図４（Ａ）及び（Ｂ）に示し、図５Ａ〜図５Ｃを参照して以下に詳細に説明するように複数の互いに間隔を置いた牽引摩擦部材４６を有するのがよい。牽引摩擦部材２２は、図６（Ａ）及び（Ｂ）を参照して以下に詳細に説明するように連続状の部材であってもよい。いずれの場合でも、牽引摩擦部材２２は、軸方向牽引摩擦部材２２ａ及び横方向牽引摩擦部材２２ｂを含む。各軸方向牽引摩擦部材２２ａは、図３（Ａ）及び（Ｂ）並びに図４（Ａ）及び（Ｂ）に破線で概略的に示す軸方向牽引摩擦部材の軸線４８ａに沿って細長い。軸方向牽引摩擦部材軸線４８ａは、ソール１８の外側縁部４２又は内側縁部４４と整列するのがよい。軸方向牽引摩擦部材２２ａは、軸方向牽引摩擦部材が地面に係合すると、縁部４２，４４に対して横断方向に向くソール１８の横方向動作に抵抗する傾向をもっている。軸方向牽引摩擦部材２２ａは、ソールの平面に直角な軸線周りのソール１８の回転動作に抵抗する傾向をもっている。したがって、軸方向牽引摩擦部材２２ａは、これらが垂下しているソール１８の安定性を高める傾向がある。
【００１１】
各横方向牽引摩擦部材２２ｂは、横方向牽引摩擦部材軸線４８ｂに沿って細長く、この軸線４８ｂは、内側縁部４２と外側縁部４４の両方又はいずれか一方に対して横断方向に整列するのが良い。横方向牽引摩擦部材２２ｂは、ソール１８の横方向動作又は回転動作を可能にする傾向をもっている。したがって、軸方向牽引摩擦部材２２ａと横方向牽引摩擦部材２２ｂを組み合わせて用いると、これらが取り付けられているソール１８の回転動作に抵抗するか、可能にするかのいずれかを行うことができる。
図３（Ａ）及び図４（Ａ）に示すように、右ソール１８ａの爪先部分３８は、２つの軸方向牽引摩擦部材２２ａ及び１つだけの横方向牽引摩擦部材２２ｂを有している。軸方向牽引摩擦部材２２ａの数は、横方向牽引摩擦部材２２ｂの数よりも多いので、右ソール１８ａは、右シューズ１２の回転動作に抵抗する傾向をもっている。逆に、図３（Ｂ）及び図４（Ｂ）に示すように、左ソール１８ｂの爪先部分３８は、１つだけの軸方向牽引摩擦部材２２ａ及び３つの横方向牽引摩擦部材２２ｂを有している。横方向牽引摩擦部材２２ｂの数は、軸方向牽引摩擦部材２２ａの数よりも多いので、左ソール１８ｂは、左シューズ１４の回転動作を可能にする傾向をもっている。別の実施形態において、図７（Ａ）及び（Ｂ）を参照して以下に説明するように、軸方向牽引摩擦部材２２ａと横方向牽引摩擦部材２２ｂについて互いに異なる個数が用いられている。ただし、回転動作を制限する場合には軸方向牽引摩擦部材の数を多くし、回転動作を制限しない場合には横方向牽引摩擦部材の数を多くすれば良い。
【００１２】
図１（Ａ）及び（Ｂ）、図３（Ａ）及び（Ｂ）並びに図４（Ａ）及び（Ｂ）に示すソール１８ａ，１８ｂの一利点は、牽引摩擦部材２２が、右シューズ１２の安定性を高め、他方、左シューズ１４の回転性を高めるよう配列されていることにある。これが有利である理由は、それによって右利きのゴルファーがゴルフボールを打つ前のバックスイング動作において自分のゴルフクラブを後方にスイングする際、自分の左シューズ１４を一層回転させやすいことにある。それと同時に、ゴルファーの右シューズ１２は、ゴルファーが左足を軸にしないで回転する際、回転動作に抵抗してゴルファーの右足を安定させる。これが有利である理由は、代表的なゴルファーはバックスイングの際、自分の体重の９０％を右足に移動させるからである。その結果、ゴルファーのバックスイングに対する抵抗を小さくすることができ、ゴルファーはバックスイングを一層完全に行うと共により力強いフォワードストロークを出すことができる。ゴルファーがフォワードストロークに入る際にゴルファーの右足は安定したままなので、ゴルファーのフォワードストロークをより一層力強く且つ正確に行うことができると考えられる。したがって、ゴルファーは自分の体重をスイング中に前方に移動させながら回転を生み出す一層安定した土台を有する。
【００１３】
図３（Ａ）及び（Ｂ）並びに図４（Ａ）及び（Ｂ）に示すゴルフシューズ用ソール１８のさらにもう１つの利点は、各ソールが安定性又は回転性のいずれかを高める一方、両方のソールは、少なくともある程度の安定性及び少なくともある程度の回転性をもたらすよう配置された牽引摩擦部材２２を有していることにある。したがって、右ソール１８ａは、横方向牽引摩擦部材２２ｂを有しており、回転動作を完全に妨げるわけではない。同様に、左ソール１８ｂは、幾分かの安定性をもたらす軸方向部材２２ａを有している。この特徴が有利である理由は、ゴルファーが片足の回転動作を高めると共にもう片方の片足の安定性を高めたい場合、両足は、ゴルファーのバックスイング及びフォワードストロークの互いに異なる動作段階中、或る程度の安定性と回転性の両方を必要とする場合があるということにある。
【００１４】
図３（Ａ）及び（Ｂ）並びに図４（Ａ）及び（Ｂ）に示すように、右ソール１８ａ及び左ソール１８ｂは、右利きのゴルファー向きに構成された牽引摩擦部材２２を有している。別の実施形態では、右ソール１８ａ及び左ソール１８ｂに設けられる牽引摩擦部材２２の配列状態を交換してもよい。この変形例は、より安定した左シューズ１４及びより回転性が高い右シューズ１２を履きたいと考えている左利きのゴルファーにとって望ましい。したがって、図３（Ａ）及び（Ｂ）並びに図４（Ａ）及び（Ｂ）に示すゴルフシューズ用ソール１８のもう１つの利点は、ソールを右利き又は左利きのゴルファーのいずれにも役立つよう設計できることにある。
上述したように、牽引摩擦部材２２は、図５Ａに一層詳細に示されている細長い牽引摩擦要素４６を有するのがよい。牽引摩擦要素４６は各々、要素軸線５０に沿って細長い。好ましくは、牽引摩擦要素４６の全長は約１インチ（約２．５４cm）、全幅は約０．２０インチ（約０．５０８cm）である。牽引摩擦部材４６は、個々の牽引摩擦要素の特定の位置に応じて図４（Ａ）及び（Ｂ）に示すように上記とは別の長さを有してもよい。横方向牽引摩擦部材２２ｂを形成する牽引摩擦要素４６は好ましくは、各牽引摩擦要素４６の牽引摩擦要素軸線５０が、図５Ａに示すように横方向牽引摩擦部材軸線４８ｂと一致するよう配置される。軸方向牽引摩擦部材２２ａを形成する牽引摩擦要素４６の牽引摩擦要素軸線５０は好ましくは、軸方向牽引摩擦部材軸線４８ａと一致する（図４（Ａ）及び（Ｂ）参照）。
【００１５】
各牽引摩擦要素４６は隆起条５１を有し、この隆起条は好ましくは、ゴルフコース面に係合しやすく、そして又これをグリップしやすいよう尖っており、それにより牽引摩擦力及び安定性が得られる。好ましい実施形態では、隆起条５１は、ソール１８の底面３６から約０．２０インチのところに位置し、したがって牽引摩擦要素の全高は０．２０インチになる。別の実施形態では、所望の牽引摩擦レベルを達成するために、隆起条５１を底面３６から上記よりも長い又は短い距離のところに位置させても良い。
各牽引摩擦要素４６は更に、第１の端部分５２及び第１の端部分と反対側の第２の端部分５４を有している。隣合う牽引摩擦要素４６の第１の端部分５２及び第２の端部分５４は好ましくは、これらがソール１８の底面３６から遠ざかるにつれて互いに遠ざかるよう傾斜している。したがって、端部分５２，５４は、隣合う牽引摩擦要素４６の間にダート（ごみ）及び他の粒子を捕捉しにくいようになっている。というのは、ソール１８が地面から離れる際にダート又は他の粒子は、牽引摩擦部材相互間の隙間から落下しがちだからである。第１の端部分５２が別の牽引摩擦要素４６の隣に位置している場合、これは、ダートが隣合う牽引摩擦要素４６相互間に一層捕捉されにくいよう平らであるのがよい。第２の端部分５４が別の牽引摩擦要素４６の隣に位置していない場合、これは図５Ａに示すように牽引摩擦レベル一層向上させるための端隆起条ライン５６を有するのが良い。
【００１６】
各牽引摩擦要素４６は、牽引摩擦要素軸線５０と全体的に平行な２つの細長い側面５８を有している。側面５８は、上述したように図５Ａに示す長さよりも長くても良いし或いは短くても良い。ただし、牽引摩擦要素が地面に係合しているとき、各牽引摩擦要素４６の側面領域が牽引摩擦要素軸線５０に対して横断方向のソール動作を妨げる傾向をもつことを条件とする。一実施形態では、側面５８は平らであって、これら側面が底面３６から遠ざかるにつれて互いに近づくよう傾斜している。したがって、牽引摩擦要素４６は、図５Ｂに示すように平らな側面を備えた横断面が三角形の形状であり、これにより、ダートが牽引摩擦要素に付着捕捉される傾向を一段と減少させることができる。図５Ｃに示す別の実施形態では、側面５８ａは湾曲した形状を有している。図５Ｃに示すように、湾曲した側面５８ａは、これらが底面３６から遠ざかるにつれて互いに近づくよう傾斜していて、図５Ｂを参照して上述したように、ダートが牽引摩擦要素４６に付着捕捉されないようにしている。
【００１７】
図６（Ａ）及び（Ｂ）はそれぞれ、本発明の別の実施形態による連続牽引摩擦部材１２２ａ及び１２２ｂを備えた右ソール１８ａ及び左ソール１８ｂの平面図である。図６（Ａ）及び（Ｂ）に示すように、牽引摩擦部材１２２ａ，１２２ｂは、全体的に図３（Ａ）及び（Ｂ）に示すように差し向けられているが、複数の別個独立の要素ではなく、単一の連続要素から成っている。連続牽引摩擦要素１２２ａ，１２２ｂの利点は、別個独立の牽引摩擦要素４６から成る牽引摩擦部材２２と比較した場合、牽引摩擦部材１２２ａ，１２２ｂが、それの牽引摩擦部材軸線４８ａ，４８ｂに対して横断方向の動作に対する安定度及び抵抗度を一層大きくすることができるということにある。逆に、図５Ａ〜図５Ｃに示す牽引摩擦要素４６の利点は、牽引摩擦要素の第１の端部分５２及び第２の端部分５４がゴルフコース面との係合表面積を大きくすることができると共にそれに応じて牽引摩擦性を一層良好にすることができるということである。
【００１８】
図６（Ｂ）に示すように、左ソール１８ｂの軸方向牽引摩擦部材１２２ａを、図４（Ｂ）に示したように内側縁部４４ではなく、外側縁部４２に隣接して配置しても良く、この場合、左ソールの性能には著しくは影響を及ぼさない。別の実施形態では、牽引摩擦部材１２２ａ，１２２ｂは、これらがそれぞれ所望レベルの安定性及び回転性を与える限りにおいて、ソール１８の底面３６上の別の位置にあっても良い。
図７（Ａ）及び（Ｂ）は、図４（Ａ）及び（Ｂ）に示す牽引摩擦部材の数よりも多くの数の牽引摩擦部材２２を有するゴルフシューズ用ソール１８のさらに別の実施形態を示している。図７（Ａ）に示す右ソール１８ａは、３つの軸方向牽引摩擦部材２２ａ及び２つの横方向牽引摩擦部材２２ｂを有している。軸方向牽引摩擦部材２２ａの数は横方向牽引摩擦部材２２ｂの数よりも多いので、図７（Ａ）に示す右ソール１８ａは、右ソールが取り付けられている右シューズ１２の回転動作に抵抗する傾向をもっている。同様に、図７（Ｂ）に示す左ソールは、２つの軸方向牽引摩擦部材２２ａ及び４つの横方向牽引摩擦部材２２ｂを有している。横方向牽引摩擦部材２２ｂの数は軸方向牽引摩擦部材２２ａの数よりも多いので、図７（Ｂ）に示す左ソール２０は、左ソールが取り付けられている左シューズ１４の回転動作を可能にする傾向をもっている。他の実施形態では、右ソール１８ａ及び左ソール１８ｂが備える軸方向牽引摩擦部材２２ａ及び横方向牽引摩擦部材２２ｂの数を増減しても良い。ただし、回転動作に抵抗するように意図されたソールについては軸方向牽引摩擦部材の数が横方向牽引摩擦部材の数よりも多く、また安定性を高めると共に回転動作に対する抵抗を少なくするよう意図されたソールについては、横方向牽引摩擦部材の数が軸方向牽引摩擦部材の数よりも多いことを条件とする。
さらに別の実施形態では、回転動作に対する抵抗をもたらすソールについては、軸方向牽引摩擦部材２２ａの数を横方向牽引摩擦部材２２ｂの数よりも多くする必要はない。ただし、軸方向牽引摩擦部材軸線４８ａと整列した軸方向牽引摩擦部材２２ａの表面積が、牽引摩擦部材４６が取り付けられているソールの回転動作に抵抗するのに十分であることを条件とする。同様に、軸方向を牽引摩擦部材軸線４８ａと整列した軸方向牽引摩擦部材２２ａの表面積が、回転動作を可能にするよう配列されているソールの回転動作を妨げないほど十分に小さければ、横方向牽引摩擦部材２２ｂの数を軸方向牽引摩擦部材２２ａの数よりも多く必要はない。
【００１９】
図３（Ａ）及び（Ｂ）並びに図４（Ａ）及び（Ｂ）を参照して上述したように、ソール１８は、ソールの底面３６から垂下したクリート部材２４を有している。クリート部材２４は、平らなクリート部材２４ａ及び丸くなったクリート部材２４ｂを含む。平らなクリート部材２４ａは、これらが取り付けられているソールの安定性を増すために設けられ、丸いクリート部材２４ｂは、これらが取り付けられているソールの回転性を高めるために設けられており、これについては図８Ａ〜図８Ｄを参照して以下に説明する。
図８Ａを参照すると、平らなクリート部材２４ａは、ソールの底面３６にほぼ平行な端面６０を有している。端面６０は、平らなクリート部材２４ａが滑りやすい滑らかな表面をグリップする能力を高める粗面６２を有するのが良い。したがって、平らなクリート部材２４ａは、これらが垂下しているソールに安定性を与え、これは、ソールが平らで滑らかな面、例えば堅い床上で用いられる場合に特に有利である。また、平らなクリート部材２４ａを、ゴルファーのスイング中に好ましくは安定した状態に保たれるソールの部分に設けても良い。したがって、平らなクリート部材２４ａを、図４（Ｂ）に示すように左ソール１８ｂの爪先部分３８の中央領域６３内に集中して設けるのが良く、それにより右利きのゴルファーのスイング中における中央領域が安定化することになる。代表的な右利きゴルファーはスイングの終りに自分の体重の９０％を左シューズ１４の外側に移動させるので、中央領域６３、特に外側縁部４４近傍に平らなクリート部材２４ｂを集中して設けると、ゴルファーの足の支持性を向上させることができる。左利きのゴルファーの場合にも、平らなクリート部材２４ａを同様な態様で右ソール１８ａ上に集中して設けるのが良い。
【００２０】
平らなクリート部材２４ａは、図８Ａに示すように部分的に円錐形であるのが良い側面６４を有している。円錐形側面６４により、平らなクリート部材２４ａは、ゴルフコース面内に或る程度の距離食い込むことができ、それにより牽引度が増す。側面６４は、図５Ａに示す牽引摩擦要素４６に関して上述した側面と類似した態様で傾斜しており、それにより平らなクリート部材２４ａがダート、芝又は他の屑片を保持しにくいようにする。
好ましい実施形態では、平らなクリート部材２４ｂは、ソール１８の底面３６の近傍の約０．４０インチ（約１．０１６cm）の直径部から端面６０近傍の約０．２５インチ（０．６３５cm）の直径部までテーパした全体として円形横断面形状を有している。平らなクリート部材の全高は約０．１５〜０．２０インチ（約０．３８１〜０．５０８cm）である。ただし、別の実施形態ではこの範囲を越える高さを有するクリート部材を用いても良い。
【００２１】
図８Ｂに示す別の実施形態では、平らなクリート部材２４ａは、湾曲した側面６４ａを有するのがよい。湾曲した側面６４ａは、平らなクリート部材２４ａがダート粒子を保持する傾向を減少させるよう図８Ａを参照して上述したのと同様な態様で傾斜している。別の実施形態においては、平らなクリート部材２４ａは、同様にダート粒子を落とす傾向のある他の形状を有する側面を有しても良い。図８Ｃに示すさらに別の実施形態では、平らなクリート部材２４ａは、円錐形側面６４及び図８Ａに示すものよりも小さな端面６４ａを有している。したがって、図８Ｃに示す平らなクリート部材２４ａは、安定性の度合を一層小さくしながらゴルフコース面への食い込みの度合を大きくすることができる。したがって、図８Ｃに示すタイプの平らなクリート部材２４ａの数を多くすると、図８Ｃに示す平らなクリート部材と同レベルの安定性が得られることになる。さらに別の実施形態では、平らなクリート部材２４ａは、安定性及び牽引摩擦性を与えると共にダート粒子との付着性を低減させる他の形状を有しても良い。
【００２２】
丸いクリート部材２４ｂは図８Ｄに一層詳細に示されている。丸いクリート部材２４ｂにはひだ又は溝６６が設けられており、これらは図８Ｄに示すように円弧状の形を有するのが良いが、別の実施形態では他の形状を有しても良い。ひだ又は溝６６は、ゴルフコース面に係合するのに利用される丸いクリート部材の表面積を増加させることにより、丸いクリート部材２４ｂによって得られる牽引摩擦性を高めることができる。丸いクリート部材２４ｂは、ソール１８の底面３６の近くの直径が約０．５インチ（約０．２７cm）であり、全高は約０．２０インチである。したがって、牽引摩擦要素４６、平らなクリート部材２４ａ及び丸いクリート部材２４ｂの高さは、好ましい実施形態ではほぼ同じであるが、別な実施形態では変更しても良い。
【００２３】
丸いクリート部材２４ｂの全体的な形状は、好ましい実施形態では丸形又は半球形である。別の実施形態では、丸いクリート部材２４ｂは、他の全体として湾曲した全体形状を有しても良い。したがって、ゴルファーは、丸いクリート部材２４ｂを軸にしない状態で平らなクリート部材２４ａ又は牽引摩擦部材２２の場合よりも一層容易に自分の足を回転させることができる。一実施形態では、図３（Ｂ）及び図４（Ｂ）に示すように、左ソール１８ｂの内側縁部４４の近傍には一層多くの数の丸いクリート部材２４ｂを設けるのが良い。この領域に丸いクリート部材２４ｂを集中して設けることにより、右利きゴルファーは、スイングをフォロースルーしている間、自分の体重を左ソール１８ｂの内側縁部４４に近づけて一層容易に足を回転させることができる。同様に、丸いクリート部材２４ｂを左ソール１８ｂの爪先部分３８の後方部分６８の外側縁部４２に向かって集中して設けると、ゴルファーは体重を外側縁部から遠ざかって内側縁部４４に近づけて一層容易に足を回転させることができる。左利きのゴルファーの場合、上述した丸いクリート部材２４ｂを、左ソール１８ｂではなく、右ソール１８ａ上に集中して設けるのが良い。
【００２４】
平らなクリート部材２４ａは、これらが取り付けられているゴルフシューズを安定化させる傾向をもつという利点がある。同時に、平らなクリート部材２４ａは、ゴルフコース面に僅かに食い込むことができ、それにより牽引度が増大する。丸いクリート部材２４ｂの利点は、これらによりゴルファーが自分の体重をシューズの一部分から別の部分に一層容易に移動させながら回転できるということにある。かかる回転動作は、ゴルファーがスイングの際、ボールに一層大きな打撃力を与えるよう自分の体重を移動させながら一層容易にフォロースルーを行うことができるのでゴルフのスイングの際に望ましい。
図３（Ａ）及び（Ｂ）並びに図４（Ａ）及び（Ｂ）に示す牽引摩擦部材２２ａ，２２ｂに関して上述したのと同様に、一つのシューズに或るレベルの安定性と回転性が得られるようにするために平らなクリート部材２４ａと丸いクリート部材２４ｂを組み合わせて用いても良い。平らなクリート部材２４ａを安定性が重要であるようなソールの領域に集中して設け、丸いクリート部材２４ｂを回転性が重要であるようなソール領域に集中して設けるのか良い。さらに、図３（Ａ）及び（Ｂ）、図４（Ａ）及び（Ｂ）、図６（Ａ）及び（Ｂ）、並びに図７（Ａ）及び（Ｂ）に示すように、平らなクリート部材２４ａ及び丸いクリート部材２４ｂを、軸方向牽引摩擦部材２２ａ及び横方向牽引摩擦部材２２ｂと組み合わせて配列できる。安定性と回転性を強化する上で、上記構成要素が取り付けられているシューズの特定部分に応じ、且つゴルファーの腕前を考慮して特注できる仕方で上記構成要素を有利に配置することができる。
【００２５】
上述のことから、本発明の特定の実施形態を例示の目的で説明したが、本発明の精神及び範囲から逸脱することなく種々の設計変更を想到できることは理解されよう。したがって、本発明は、特許請求の範囲の記載事項による場合を除き、限定されることはない。
【図面の簡単な説明】
【図１】（Ａ）は、本発明の実施形態による右側のゴルフシューズの等角斜視図、（Ｂ）は、本発明の実施形態による左側のゴルフシューズの等角斜視図である。
【図２】（Ａ）は、本発明の実施形態による右側のゴルフシューズ用ソールの平面図、（Ｂ）は、本発明の実施形態による左側のゴルフシューズ用ソールの平面図である。
【図３】（Ａ）は、図２（Ａ）に示す右ソールの底面の等角図、（Ｂ）は、図２（Ｂ）に示す左ソールの底面の等角図である。
【図４】（Ａ）は、図３（Ａ）に示す右ソールの底面の底面図、（Ｂ）は、図３（Ｂ）に示す左ソールの底面の底面図である。
【図５Ａ】本発明の実施形態による牽引摩擦部材を備えたソールの一部の拡大等角図である。
【図５Ｂ】図５Ａに示す牽引摩擦部材のうちの一つの横断面図である。
【図５Ｃ】本発明の変形例による牽引摩擦部材の横断面図である。
【図６】（Ａ）は、本発明の別の実施形態による右ソールの底面の底面図、（Ｂ）は、本発明の別の実施形態による左ソールの底面の底面図である。
【図７】（Ａ）は、本発明の更に別の実施形態によるソールの底面の底面図、（Ｂ）は、本発明の更に別の実施形態によるソールの底面の底面図である。
【図８Ａ】本発明に示す平らなクリート部材を備えたソールの一部の拡大等角図である。
【図８Ｂ】図８Ａに示す平らなクリート部材の別の実施形態の拡大等角図である。
【図８Ｃ】図８Ａに示す平らなクリート部材の更に別の実施形態の拡大等角図である。
【図８Ｄ】本発明の実施形態による丸いクリート部材を備えたソールの一部の等角図である。
【符号の説明】
１２，１４  一足のシューズ
１６  甲
１８  ソール
２２  牽引摩擦部材
２４  クリート部材
３６  ソール底面
３８  爪先部分
４０  ヒール部分
５１  隆起条
【図１】
0004166873.tif 000002
【図２】
0004166873.tif 000003
【図３】
0004166873.tif 000004
【図４】
0004166873.tif 000005
【図５Ａ】
0004166873.tif 000006
【図５Ｂ】
0004166873.tif 000007
【図５Ｃ】
0004166873.tif 000008
【図６】
0004166873.tif 000009
【図７】
0004166873.tif 000010
【図８Ａ】
0004166873.tif 000011
【図８Ｂ】
0004166873.tif 000012
【図８Ｃ】
0004166873.tif 000013
【図８Ｄ】
0004166873.tif 000014